(57)【要約】【課題】本発明は、調整者が取り付け角度の調整作業が未熟であったとしても、光学ユニットを所定の取り付け角度に調整することができる画像読取装置の光学ユニット取付角度調整方法を提供することを課題とする。【解決手段】本発明は、走査方向に媒体に描かれた画像を読み込む光学ユニット１２４を備える画像読取装置の光学ユニット取付角度調整方法であって、直線が描かれた調整用テンプレート１０を、直線が画像読取装置における走査方向と平行になるように、光学ユニット１２４による画像読取位置に配置し、光学ユニット１２４に調整用テンプレート１０の画像を読み込ませ、光学ユニット１２４から出力される映像信号をオシロスコープに表示させて、光学ユニット１２４の取り付け角度を調整することを特徴とする。【選択図】図３
2010136129.tif 000002
【特許請求の範囲】
【請求項１】
走査方向に媒体に描かれた画像を読み込む光学ユニットを備える画像読取装置の光学ユニット取付角度調整方法において、
直線が描かれた調整用テンプレートを、前記直線が前記画像読取装置における走査方向と平行になるように、前記光学ユニットによる画像読取位置に配置し、
前記光学ユニットに前記調整用テンプレートの画像を読み込ませ、
前記光学ユニットから出力される映像信号をオシロスコープに表示させて、光学ユニットの取付角度を調整することを特徴とする画像読取装置の光学ユニット取付角度調整方法。
【請求項２】
前記調整用テンプレートは、前記直線のほかに、前記直線と平行で、かつ、前記直線と等間隔で配置された複数の直線が描かれていることを特徴とする請求項１に記載の画像読取装置の光学ユニット取付角度調整方法。
【請求項３】
前記調整用テンプレートに描かれた複数の直線は、それぞれ相異なる色彩を有することを特徴とする請求項２に記載の画像読取装置の光学ユニット取付角度調整方法。
【請求項４】
前記光学ユニットは、前記光学ユニットの画像読取可能な範囲であって、かつ、前記媒体と重ならない位置に白色マーカが貼付されていることを特徴とする請求項１に記載の画像読取装置の光学ユニット取付角度調整方法。
【発明の詳細な説明】
【技術分野】
【０００１】
本発明は、光学ユニットを用いて媒体に描かれた画像を読み取る画像読取装置において、その画像読取装置に取り付けられた光学ユニットの取り付け角度を調整する方法に関する。
【背景技術】
【０００２】
従来、ファクシミリやＡＴＭ装置等に設けられている画像読取装置には、下記特許文献１に示されるように、イメージセンサを有する光学ユニット（特許文献１の「イメージリーダ部７」に相当）が備え付けられている。そして、その光学ユニットが払込書等の媒体に描かれた画像を読み込むことにより、画像読取装置は、画像データとして出力や、払込書の識別等を行っている。
また、光学ユニットは、画像読取装置の所定位置に置かれた払込書等の媒体に描かれた画像を、所定方向（走査方向）に読み込む必要があることから、画像読取装置を組み立てた後に、光学ユニットに払込書等の媒体の画像を読み込ませて、出力された画像等を調整者が視認しながら、光学ユニットが所定方向（走査方向）に読み込み可能なように、光学ユニットの取り付け角度を調整するという調整作業が行われていた。
【特許文献１】特開２００３−９１７６５号公報
【発明の開示】
【発明が解決しようとする課題】
【０００３】
しかしながら、前記する光学ユニットの取り付け角度の調整作業は、光学ユニットが所定方向（走査方向）に読み込み可能となるまで、光学ユニットに画像を読み込ませて、出力された画像等を調整者が視認して取り付け角度を調整するという煩雑な作業を何度も繰り返すといった、いわゆるカット・アンド・トライ的な作業であって、調整者には取り付け角度の調整作業の熟練が要求される。
従って、前記する従来技術によれば、調整者が取り付け角度の調整作業について未熟である場合、光学ユニットの取り付け角度が所定の角度と異なってしまい、光学ユニットが所定方向（走査方向）に払込書等の媒体の画像を正確に読み込むことができないおそれがあった。
【０００４】
そこで、本発明は、前記問題に鑑み、調整者が取り付け角度の調整作業が未熟であったとしても、光学ユニットを所定の取り付け角度に調整することができる画像読取装置の光学ユニット取付角度調整方法を提供することを課題とする。
【課題を解決するための手段】
【０００５】
前記課題を解決するために、本発明における画像読取装置の光学ユニット取付角度調整方法は、走査方向に媒体に描かれた画像を読み込む光学ユニットを備える画像読取装置の光学ユニット取付角度調整方法において、直線が描かれた調整用テンプレートを、前記直線が前記画像読取装置における走査方向と平行になるように、前記光学ユニットによる画像読取位置に配置し、前記光学ユニットに前記調整用テンプレートの画像を読み込ませ、前記光学ユニットから出力される映像信号をオシロスコープに表示させて、光学ユニットの取付角度を調整することを特徴とする。
【０００６】
前記発明によれば、調整用テンプレートに描かれた直線が走査方向と平行になるように、調整用テンプレートを光学ユニットによる画像読取位置に配置するため、光学ユニットによる画像読取位置には、走査方向と平行な直線が位置することとなる。
また、光学ユニットが調整用テンプレート上の画像を読み込めば、調整用テンプレート上に描かれた画像である直線を読み込むこととなる。
そして、光学ユニットから出力された映像信号をオシロスコープに表示すれば、走査方向に平行な直線の映像信号が表示されることとなる。
つまり、光学ユニットの取り付け角度が所定の角度であれば、光学ユニットが読み込んだ画像は、走査方向に平行な直線となるため、オシロスコープには走査方向に平行な直線の映像信号である平坦な波形が表示されることとなる。
一方で、光学ユニットの取り付け角度が所定の角度でなければ、光学ユニットが画像を読み込む方向は、走査方向に平行な直線と平行にならないため、光学ユニットは、調整用テンプレートに描かれた直線の一部だけを読み込むこととなり、オシロスコープには途中で切れた波形等が表示されることとなる。
従って、本発明によれば、オシロスコープに表示された波形を視認することによって光学ユニットの取り付け角度が所定の角度であるか否かを確かめることができ、調整者の熟練度の有無を問わずに、光学ユニットを正確な取り付け角度に正確に調整することができる。
【０００７】
請求項２に記載の構成は、前記記する請求項１に記載の発明において、前記調整用テンプレートは、前記直線のほかに、前記直線と平行で、かつ、前記直線と等間隔で配置された複数の直線が描かれていることを特徴とする。
【０００８】
前記する構成であれば、光学ユニットの取り付け角度が所定の角度でない場合、光学ユニットは等間隔で配置された複数の直線を横切って読み込むこととなる。
つまり、オシロスコープに表示される波形には、光学ユニットが横切って読み込んだ直線に対応した凹凸状の波形が表示されることとなり、光学ユニットの取り付け角度がどの程度ずれているか視認できる。
従って、調整者は、オシロスコープに表示される凹凸状の波形を視認することによって、光学ユニットの取り付け角度の調整度合いがわかるため、調整作業が簡単になるとともに、調整作業時間の短縮化が図れる。
【０００９】
請求項３に記載の構成は、前記する請求項２に記載の発明において、前記調整用テンプレートに描かれた走査方向に平行な複数の線は、それぞれ相異なる色彩を有することを特徴とする。
【００１０】
前記する構成によれば、オシロスコープに表示される波形は、光学ユニットによって読み込まれた色彩の直線が表示されることなる。
つまり、調整者は、走査方向に平行に並んだ複数の直線のうち、光学ユニットが調整用テンプレートに描かれたどの直線を読み込んだかを視認することができ、平行に並んだ複数の線に対する垂直方向について光学ユニットの位置調整が容易となる。
【００１１】
請求項４に記載の構成は、前記する請求項１に記載の発明において、前記光学ユニットは、前記光学ユニットの画像読取可能な範囲であって、かつ、前記媒体と重ならない位置に白色マーカが貼付されていることを特徴とする。
【００１２】
前記する構成によれば、イメージセンサの最大輝度であるいわゆる白色レベルを、光学ユニットが貼付された白色マーカから読み取ることができるため、イメージセンサの輝度の補正が可能となる。また、白色マーカは、画像が描かれた媒体と重ならない位置に貼付されるため、白色マーカを剥がす必要がなく、イメージセンサの輝度の補正が常時可能となる。
【発明の効果】
【００１３】
本発明によれば、調整者が取り付け角度の調整作業が未熟であったとしても、光学ユニットを所定の取り付け角度に正確に調整する画像読取装置の光学ユニット取付角度調整方法を提供することができる。
【発明を実施するための最良の形態】
【００１４】
次に、本発明の実施形態における画像読取装置につき、図面を参照して詳細に説明する。尚、図１は、実施形態における画像読取装置の全体の構成を示す全体斜視図であり、図２は、図１に示す画像読取装置の払込書処理部をＡ―Ａ線に沿って切った断面図であり、図３は、図２に示す払込書処理部を上側から視た平面図であり、図４は、実施形態における調整用テンプレートと補正センサガラスとを示す図であり、図５は、実施形態において、画像読取処理部から出力される映像信号をオシロスコープに表示した波形を示す図であり、図６は、光学ユニットの取り付け角度がずれている画像読取処理部を上側から視た平面図である。
【００１５】
（画像読取装置）
本実施形態における画像読取装置は、図１に示すように、ＡＴＭ（Ａｕｔｏｍａｔｅｄ  Ｔｅｌｌｅｒ  Ｍａｃｈｉｎｅ）装置１００である。
そして、ＡＴＭ装置１００は、後記する光学ユニット１２４を備えて、その光学ユニット１２４によって払込書等の媒体に記載される記載内容を読み込んで、払い込み決済を行う払込書処理部１２０を有しており、その他に、通帳の記帳を行う通帳処理部１３０と、キャッシュカードやクレジットカード等の顧客ＩＤを確認するためのカード処理部１４０と、硬貨の入出金を行う硬貨スロット１５０と、紙幣の入出金を行う紙幣スロット１６０と、操作者が目的とする取引内容を実行するためのタッチパネル方式の操作部１７０とを備えてなる。
【００１６】
（払込書処理部１２０）
払込書処理部１２０は、図２と図３に示すように、払込書を載置する受け口１２１と、受け口１２１に載置された払込書を挟持して、後記する光学ユニット１２４側に搬送する搬送ローラ１２２ａ〜１２２ｃと、払込書の搬送度合いの検出等を行うセンサ部１２３ａ〜１２３ｃと、払込書処理部１２０の所定位置に配設され、払込書に描かれた画像を読み込む光学ユニット１２４と、抜き差し可能で後記する調整用テンプレート１０（図３）を主走査方向に平行となるように固定する位置決めピン１２５ａ、１２５ａと、払込書の挿入を防止するストッパ１２６とからなる。尚、図３に示すように、払込書処理部１２０の幅方向を主走査方向とし、払込書が搬送される方向を副走査方向とする。
【００１７】
具体的に、センサ部１２３ａ、１２３ａは、払込書に所定光量の光を照射して、払込書を透過する透過光量を基に、通過する払込書が一枚若しくは二枚以上かについて、識別を行う。センサ部１２３ｂ、１２３ｂは、払込書が斜行しているか否かを検出するためのセンサであって、図３に示すように、左右両端に位置している。センサ部１２３ｃ、１２３ｃは、光学ユニット１２４が払込書に描かれた図形の読み込みを開始するトリガセンサである。
【００１８】
（光学ユニット１２４）
光学ユニット１２４は、ＡＴＭ装置１００内の所定の位置に取り付けられ、搬送ローラ１２２ａ〜１２２ｃによって、送り出される払込書の画像の読み取りを行う。
また、光学ユニット１２４は、図示しないが、払込書を照射する光源と、払込書から反射する反射光を複数のミラーを介して縮小投影する投影レンズと、その縮小投影された反射光を光電変換し、映像信号として電気的出力を行うイメージセンサと、投影レンズを移動方向（図３に示す矢印方向）に移動させる駆動モータを備えてなり、その駆動モータが投影レンズを移動方向に移動させることによって、移動方向における１ライン分の画像を走査することができる。
また、光学ユニット１２４が投影レンズの移動方向における１ライン分の画像の読み込みを終了後に、払込書を副走査方向に１ライン分搬送させ、再度光学ユニット１２４の１ライン分の画像の読み込みを繰り返すことによって、払込書全体の画像を読み込むことができる。
尚、図３に示す光学ユニット１２４は、投影レンズの移動方向と主走査方向が平行である図を示しているが、本実施形態において、光学ユニット１２４が所定の角度で取り付けられている場合とは、図３に示すように、投影レンズの移動方向と主走査方向が平行である場合をいう。
【００１９】
（調整用テンプレート１０）
調整用テンプレート１０は、図４（ａ）に示すように、白地の矩形の平面部材であって、払込書処理部１２０の位置決めピン１２５ａ、１２５ａ（図２）に固定されるための位置決め孔１１ａ、１１ａと、光学ユニット１２４に読み込まれる罫線部１２とからなる。
位置決め孔１１ａ、１１ａは、調整用テンプレート１０の両端に形成された孔であり、位置決めピン１２５ａ、１２５ａに挿入されることによって、調整用テンプレート１０は所定の位置に係止する。
また、罫線部１２は、等間隔に配置された複数の黒色の直線であり、調整用テンプレート１０の長手方向に水平な直線である。また、調整用テンプレート１０における罫線部１２の位置は、調整用テンプレート１０が位置決めピン１２５ａによって固定された場合に、光学ユニット１２４の画像読取位置である。また、その罫線を構成する線の線幅は、光学ユニット１２４が読み取り可能な最小解像度の線幅と同一幅である。
【００２０】
（オシロスコープ）
図示しないオシロスコープは、光学ユニット１２４のイメージセンサから出力される画像信号を出力信号として表示する機器である。これによって、取り付け角度の調整を行う操作者は、光学ユニット１２４が読み取った映像信号を視認することが可能となる。
【００２１】
（白レベル補正センサガラス３０）
その他、実施形態におけるＡＴＭ装置１００の光学ユニット１２４の画像読取位置には、図２と図４（ｃ）に示すように、白レベル補正センサガラス３０が取り付けられている。白レベル補正センサガラス３０は、光学ユニット１２４からの照射光および、払込書からの反射光をさえぎることがないように、ガラス等の透明部材からなっている。また、白レベル補正センサガラス３０の払込書と重ならない位置に白色マーカ３１が貼り付けられている。
【００２２】
（使用方法）
次に、調整用テンプレート１０とオシロスコープとを用いて、ＡＴＭ装置１００の光学ユニット１２４の取り付け角度を調整する方法について説明する
【００２３】
まず、調整用テンプレート１０の位置決め孔１１ａ、１１ａを払込書処理部１２０の位置決めピン１２５ａ、１２５ａに係止させて、調整用テンプレート１０を払込書処理部１２０に取り付ける。
ここで、調整用テンプレート１０は、位置決めピン１２５ａ、１２５ａによって、図３に示すように、主走査方向と平行に配置されることとなるため、調整用テンプレート１０に記載された罫線部１２を構成する直線は、主走査方向に対して平行な直線ということなる。
【００２４】
次に、光学ユニット１２４を用いて調整用テンプレート１０上における罫線部１２の読み取りを行う。ここで、光学ユニット１２４は、図３に示す投影レンズの移動方向に沿って、画像読取位置における画像について順次読み取りを行うが、この光学ユニット１２４が読み取った反射光量に対応する電気信号（以下、「映像信号」という）に対応した波形を、図５（ａ）に示すようにオシロスコープに表示させる。
【００２５】
以下、図５（ａ）に示す、オシロスコープに表示される映像信号の波形の一周期分である「ａ」区間から「ｄ」区間まで分別して説明する。
尚、図５（ａ）の上側に位置する波形は、光学ユニット１２４（図２）が画像読取を開始するためのトリガ（読み出しタイミング）である払込書処理部１２０のセンサ部１２３ｃによって検出した信号に対応する波形であって、図５（ａ）の下側に位置する波形は、払込書の画像を読み取った光学ユニット１２４のイメージセンサから出力される映像信号に対応する波形である。
ここで、光学ユニット１２４が画像読取を開始するためのトリガ信号は、テスト用治具等の物理的な手段により直接、センサ部１２３ｃをオン状態にすることで光学ユニット１２４に出力することとしてもよいし、あるいは、図示しないＡＴＭ装置１００の制御部への設定により、制御部から光学ユニット１２４に対してトリガ信号を出力する手段を設けることとしてもよい。
【００２６】
図５（ａ）に示す「ａ」区間の波形は、光学ユニット１２４内の投影レンズが、図３に示す移動方向に向かって移動し始めた際の波形であって、光学ユニット１２４が画像を読み取りはじめたものの、読取開始時は読み取る画像がなく反射光がない。従って、イメージセンサによって電気信号に変換されず、出力はゼロとなり、オシロスコープに表示される波形は、底辺に位置する波形である。
【００２７】
次に、図５（ａ）に示す「ｂ」区間の波形は、光学ユニット１２４内の投影レンズが図３に示す移動方向に向かって移動し、光学ユニット１２４が白レベル補正センサガラス３０の白色マーカ３１（図４（ｃ））を読み込んだ際の波形である。ここで、白色マーカ３１は白色であるため、反射光量は多い。従って、イメージセンサから出力される電気信号に対応する波形は最大出力を示す。
【００２８】
図５（ａ）に示す「ｃ」区間の波形は、光学ユニット１２４が、画像読取位置に配置された調整用テンプレート１０上の罫線部１２の直線を読み取った際の波形である。ここで、罫線部１２の直線は黒色であるため、反射光量は少ない。したがって、変換される映像信号の値も小さくなる。
ここで、図５（ａ）で示す「ｃ」区間の波形は一定値である。これは、光学ユニット１２４内の投影レンズが図３に示す移動方向に向かって移動している際の反射光量が一定量であることを示しており、イメージセンサが読み取る画像は、同色を読み込んでいるといえる。
つまり、光学ユニット１２４は、調整用テンプレート１０上における罫線部１２の黒色の直線と平行して移動しているといえ、光学ユニット１２４内の投影レンズの移動方向と払込書処理部１２０の主走査方向は平行しており、この光学ユニット１２４が所定の角度で取り付けられていることを示している。
【００２９】
尚、図５（ａ）で示す「ｄ」区間の波形は、光学ユニット１２４が罫線部１２を読み取り後であって、読み込む対象がなくなった際の波形である。読み込む対象がなくなった際は反射光量もゼロとなり、変換される映像信号もゼロとなり、オシロスコープに表示される波形も底辺に位置することになる。
【００３０】
以上、説明したように、前記した方法によれば、図５（ａ）で示す「ｃ」区間の波形が一定値を示すか否かをオシロスコープによって視認することで、光学ユニットの取り付け角度が所定の角度であるか否かを確かめることができ、調整者の熟練度の有無を問わずに、光学ユニットを所定の取り付け角度に正確に調整することができる。
【００３１】
次に、光学ユニットが適正な角度に取り付けられていない場合における払込書処理部の実施形態について、図５（ｂ）と図６を用いて説明する。
図６に示す払込書処理部２２０は、図２と図３に示す払込書処理部１２０と同様な構成を有しており、相違点は、光学ユニット２２４内の投影レンズの移動方向と主走査方向とが平行に取り付けられていない点である。そして、図５（ｂ）に示す波形は、払込書処理部１２０と同様に、調整用テンプレート１０の位置決め孔１１ａ、１１ａ（図４（ａ））を払込書処理部２２０の位置決めピンに係止させ、光学ユニット２２４で調整用テンプレート１０上における罫線部１２の読み取った際の、払込書処理部２２０の光学ユニット２２４のイメージセンサから出力された映像信号の波形である。以下において、図５（ｂ）に示す、オシロスコープに表示される映像信号の波形の一周期分である「ａ」区間から「ｈ」区間まで分別して説明する。
【００３２】
図５（ｂ）に示す「ａ」区間の波形は、光学ユニット２２４内の投影レンズが図６に示す移動方向に移動して画像を読み込み始めた際の波形であり、読取開始時は読み取る画像がないため、図５（ａ）で示す「ａ」区間と同様にオシロスコープに示される波形は、底辺に位置する波形が表示される。
図５（ｂ）に示す「ｂ」区間の波形は、光学ユニット２２４が白レベル補正センサガラス３０の白色マーカ３１を読み込んだ際の波形であり、図５（ａ）で示す「ｂ」区間で示した波形と同様な波形である。
【００３３】
図５（ｂ）の「ｃ」区間〜「ｆ」区間の波形は、光学ユニット２２４内の投影レンズが図６に示す移動方向に移動し、光学ユニット２２４が、調整用テンプレート１０上における罫線部１２を読み込んだ際の波形である。
具体的には、「ｃ」区間に示す波形は、光学ユニット２２４が罫線部１２の黒色の直線と直線との間にある白色箇所を読んだ際の波形であり、白レベル補正センサガラス３０の白色マーカ３１の反射光量ほど多くないが、罫線部１２の黒色の直線と直線との間にある白色箇所であるため、反射光量は多く、高めの値を示す。
また、「ｄ」区間に示す波形は、光学ユニット２２４が罫線部１２の白色箇所から黒色の直線箇所に段々と移行しながら読み込んだ際の波形を示す。ここで、「ｄ」区間に示す波形が段々と下がっていく理由は、光学ユニット２２４が読み取った画像箇所において、黒色が占める範囲が多くなり、反射光量が少なくなったためである。
「ｄ」区間に示す波形は、光学ユニット２２４が罫線部１２の黒色の直線を読み込んだ際の波形である。黒色であるため、反射する光量が少なく、変換される電気信号の値も小さくなる。
そして、「ｆ」区間に示す波形は、光学ユニット２２４が罫線部１２の黒色の直線箇所から白色の直線箇所に段々と移行しながら読み込んだ際の波形であり、この区間は、反射光量が多い白色が占める範囲が大きくなるため、波形も段々と高くなっていく。
尚、「ｇ」区間に示す波形は、光学ユニット２２４が、罫線部１２の黒色の直線と直線との間にある白色箇所、罫線部１２の黒色の直線、そして、また、罫線部１２の黒色の直線と直線との間にある白色箇所、罫線部１２の黒色の直線を通過して、読み込んだ際の波形であり、この波形の高低は、前記した「ｃ」区間から「ｆ」区間で説明した理由と同様な理由である。
【００３４】
従って、前記した方法によれば、光学ユニット２２４が適正な角度で取り付けられていない場合、調整用テンプレート１０上における罫線部１２からの反射光量が変化し光学ユニット１２４から出力される映像信号が変化することとなる。これによって、調整者は、光学ユニット２２４が本来あるべき主走査方向の角度からずれていることがわかる。
【００３５】
また、前記した方法により、図５（ｂ）の「ｃ」区間〜「ｇ」区間におけるオシロスコープに表示される波形から、光学ユニット２２４の取り付け角度がどの程度ずれているかということがわかる。つまり、図５（ｂ）の「ｃ」区間〜「ｇ」区間における波形は、光学ユニット２２４は、罫線部１２の黒色と白色の直線の幅で各三本分を足し合わせた幅だけ取り付け角度がずれていることを示す。
したがって、調整者は、オシロスコープに表示される波形を視認することによって、光学ユニット２２４内の投影レンズの移動方向における光学ユニット２２４のどちらか一端側を、罫線部１２の黒色および白色の直線の幅に換算した光学ユニット２２４のずれ量分だけ、副走査方向に移動して取り付けなおせば、光学ユニット２２４を適正な角度で取り付けることができ、取り付け角度の調整時間の短縮化も図ることができる。
【００３６】
その他、前記した方法によれば、調整者は、光学ユニットが、画像を読み込む度に白色マーカ３１を読み込むため、最大輝度である白レベルの補正情報を入手することができる。よって、常に外的な電圧の変化や基板素子のばらつき等によるバランスのくずれが発生して、不安定な状態に陥ったとしても、常時白レベル補正が可能となり、安定した画像データを取得することができ、かつ、特殊媒体を持ち歩くことないため、利便性を確保することができ、調整作業コストの低減化を図ることができる。
【００３７】
以上、本発明における一実施形態における画像読取装置の光学ユニット取付角度調整方法について説明したが、前記した調整用テンプレート１０に代えて、図４（ｂ）に示す調整用テンプレート２０を用いてもよい。
図４（ｂ）に示す調整用テンプレート２０は、調整用テンプレート１０と同様に、払込書処理部１２０の位置決めピン１２５ａ、１２５ａに係止される位置決め孔２１ａ、２１ａと、罫線部２２とを有する。但し、罫線部２２が罫線部１２と異なる点は、等間隔に配置された複数の直線が、黒色でなく、相異なる色彩を有する点である。
そして、この構成により、光学ユニットが調整用テンプレート２０上の罫線部２２を読み込んだ場合、罫線部２２を構成する複数の色彩の異なる直線から赤色（Ｒ）と緑色（Ｇ）と青色（Ｂ）の反射光を受けることとなり、この反射光のそれぞれの光量をオシロスコープで表示すれば、図５（ｃ）に示す波形となる。
そして、図５（ｃ）に示す、赤色出力（Ｒ）と緑色出力（Ｇ）と青色出力（Ｂ）のそれぞれの波形を合成することによって、光学ユニットが罫線部２２を構成するどの色彩の直線を読んでいるかを判断することができる。
つまり、調整用テンプレート２０を用いた場合、調整者は、走査方向に平行に並んだ複数の色彩が異なる直線のうち、光学ユニットがどの直線を読み込んだかを視認することができ、平行に並んだ複数の線に対する垂直方向の位置調整が容易化、および、調整作業時間の短縮化を図ることができる。
さらに、本発明においては、ポイントセンサを使用して画像データを取得することとしているが、ラインイメージセンサを使用した場合でも同様の効果が得られることはいうまでもない。
【図面の簡単な説明】
【００３８】
【図１】実施形態における画像読取装置の全体の構成を示す全体斜視図である。
【図２】図１に示す画像読取装置の画像読取処理部をＡ―Ａ線に沿って切った断面図である。
【図３】図２に示す画像読取処理部を上側から視た平面図である。
【図４】実施形態における調整用テンプレートと補正センサガラスとを示す図である。
【図５】実施形態において、画像読取処理部から出力される映像信号をオシロスコープに表示した波形を示す図である。
【図６】光学ユニットの取り付け角度がずれている画像読取処理部を上側から視た平面図である。
【符号の説明】
【００３９】
１０    調整用テンプレート
１１ａ  位置決め孔
１２    罫線部
２０    調整用テンプレート
２１ａ  位置決め孔
２２    罫線部
３０    白レベル補正センサガラス
３１    白色マーカ
１００  ＡＴＭ装置
１２０  払込書処理部
１２１  受け口
１２２ａ〜１２２ｃ  搬送ローラ
１２３ａ〜１２３ｃ  センサ部
１２４  光学ユニット
１２５ａ、１２５ａ  ピン
１２６  ストッパ
１３０  通帳処理部
１４０  カード処理部
１５０  硬貨スロット
１６０  紙幣スロット
１７０  操作部
２２０  払込書処理部
２２４  光学ユニット
【図１】
2010136129.tif 000003
【図２】
2010136129.tif 000004
【図３】
2010136129.tif 000005
【図４】
2010136129.tif 000006
【図５】
2010136129.tif 000007
【図６】
2010136129.tif 000008